(57)【要約】  【課題】  前面パネルの背面に確実、容易に取り付けることができ、スイッチに大きな負荷がかかるのを防ぐことができる面押しボタン及び面押しボタンを用いた電子機器を提供する。  【解決手段】  補助支持枠部１３２には面押し部１１の突出部１１３の一部が挿入されるストッパ孔部１３５を有している。ストッパ孔１３５は面押しボタン１の前面カバー２が取り付けられる方向に開放されており、開放されているのと反対側はストッパ部１３６が形成されている。【選択図】      図２
2006221845.tif 000002
【特許請求の範囲】
【請求項１】
複数の貫通孔が形成された前面パネルと、前記前面パネルの背面に取り付けられ、回動
することでスイッチを押圧する複数個の面押しボタンとを有する電子機器であって、
前記面押しボタンは、一部が前記前面パネルの貫通孔から露出する複数の面押し部と、
前記面押し部と一体に形成される複数のスイッチ押圧部と、前記複数の面押し部を並んで
支持するとともに連結する支持部と、前記複数の面押し部と前記支持部とを連結するヒン
ジとを有し、
前記面押し部は前記前面パネルの貫通孔を貫通する先端部と、前記ヒンジと連結し前記
先端部が取り付けられ前記前面パネルの背面に接触する台座部と、前記台座部の前記ヒン
ジと連結する端部と反対側の端部より突出する突出部を有しており、
前記スイッチ押圧部は前記スイッチを押す底板と、前記底板の変形を防ぐための補強板
とを有しており、
前記支持部は前記前面パネルと接触し、前記ヒンジを介して前記台座部を並べて支持す
る支持枠部と、前記前面パネルと接触し前記面押し部を挟んで対向する位置に形成される
補助支持枠部と、前記支持枠部及び前記補助支持枠部に形成され、前記前面パネルの背面
に形成されるボスと嵌合、溶着するボス孔と、前記支持枠部と前記補助支持枠部とを連結
する補強部とを有しており、
前記補助支持枠部には前記前面パネルと接触する部分が開口し、前記突出部の一部が配
置されるストッパ孔と、前記ストッパ孔の前記開口と反対側の端部に前記突出部の移動を
制限するストッパ部とを有することを特徴とする電子機器。
【請求項２】
貫通孔が形成された前面パネルと、前記前面パネルの背面に取り付けられ、スイッチを
押圧する面押しボタンとを有する電子機器であって、
前記面押しボタンは、一部が前記前面パネルの貫通孔から露出する面押し部と、前記面
押し部と一体に形成されるスイッチ押圧部と、前記面押し部を支持する支持部と、前記面
押し部と前記支持部とを連結するヒンジとを有し、
前記面押し部は前記ヒンジと連結する端部と反対側の端部より突出する突出部を有して
おり、
前記支持部は前記前面パネルと接触し、前記ヒンジを介して前記面押し部を支持する支
持枠部と、前記前面パネルと接触し前記面押し部を挟んで対向する位置に形成される補助
支持枠部と、前記支持枠部及び前記補助支持枠部に形成され、前記前面パネルの背面に形
成されるボスと嵌合、溶着するボス孔と、前記支持枠部と前記補助支持枠部とを連結する
補強部とを有しており、
前記補助支持枠部には前記前面パネルと接触する部分が開口し、前記突出部の一部が配
置されるストッパ孔と、前記ストッパ孔の前記開口と反対側の端部に前記突出部の移動を
制限するストッパ部とを有することを特徴とする電子機器。
【請求項３】
前記面押し部は複数個備えられており、前記支持部は前記複数個の面押し部が並ぶよう
に支持することを特徴とする請求項２に記載の電子機器。
【請求項４】
前記スイッチ押圧部は、前記面押し部と反対側の端部でスイッチを押圧することを特徴
とする請求項２又は請求項３に記載の電子機器。
【請求項５】
前記スイッチ押圧部は、前記ヒンジ回りに回動することで前記スイッチを押圧すること
を特徴とする請求項２又は請求項３に記載の電子機器。
【請求項６】
複数の貫通孔が形成された前面パネルの背面に取り付けられる面押しボタンであって、
一部が前記前面パネルの貫通孔から露出する複数の面押し部と、前記面押し部と一体に
形成される複数のスイッチ押圧部と、前記複数の面押し部を並んで支持するとともに連結
する支持部と、前記複数の面押し部と前記支持部とを連結するヒンジとを有し、
前記面押し部は前記前面パネルの貫通孔を貫通する先端部と、前記ヒンジと連結し前記
先端部が取り付けられ前記前面パネルの背面に接触する台座部と、前記台座部の前記ヒン
ジと連結する端部と反対側の端部より突出する突出部を有しており、
前記スイッチ押圧部は前記スイッチを押す底板と、前記底板の変形を防ぐための補強板
とを有しており、
前記支持部は前記前面パネルと接触し、前記ヒンジを介して前記台座部を並べて支持す
る支持枠部と、前記前面パネルと接触し前記面押し部を挟んで対向する位置に形成される
補助支持枠部と、前記支持枠部及び前記補助支持枠部に形成され、前記前面パネルの背面
に形成されるボスと嵌合、溶着するボス孔と、前記支持枠部と前記補助支持枠部とを連結
する補強部とを有しており、
前記補助支持枠部には前記前面パネルと接触する部分が開口し、前記突出部の一部が配
置されるストッパ孔と、前記ストッパ孔の前記開口と反対側の端部に前記突出部の移動を
制限するストッパ部とを有することを特徴とする面押しボタン。
【請求項７】
貫通孔が形成された前面パネルの背面に取り付けられる面押しボタンであって、
一部が前記前面パネルの貫通孔から露出する面押し部と、前記面押し部と一体に形成さ
れるスイッチ押圧部と、前記面押し部を支持する支持部と、前記面押し部と前記支持部と
を連結するヒンジとを有し、
前記面押し部は前記ヒンジと連結する端部と反対側の端部より突出する突出部を有して
おり、
前記支持部は前記前面パネルと接触し、前記ヒンジを介して前記面押し部を支持する支
持枠部と、前記前面パネルと接触し前記面押し部を挟んで対向する位置に形成される補助
支持枠部と、前記支持枠部及び前記補助支持枠部に形成され、前記前面パネルの背面に形
成されるボスと嵌合、溶着するボス孔と、前記支持枠部と前記補助支持枠部とを連結する
補強部とを有しており、
前記補助支持枠部には前記前面パネルと接触する部分が開口し、前記突出部の一部が配
置されるストッパ孔と、前記ストッパ孔の前記開口と反対側の端部に前記突出部の移動を
制限するストッパ部とを有することを特徴とする面押しボタン。
【請求項８】
前記面押し部は複数個備えられており、前記支持部は前記複数個の面押し部が並ぶよう
に支持することを特徴とする請求項７に記載の面押しボタン。
【請求項９】
前記スイッチ押圧部は、前記面押し部と反対側の端部でスイッチを押圧することを特徴
とする請求項７又は請求項８に記載の面押しボタン。
【請求項１０】
前記スイッチ押圧部は、前記ヒンジ回りに回動することで前記スイッチを押圧すること
を特徴とする請求項７又は請求項８に記載の面押しボタン。
【発明の詳細な説明】
【技術分野】
【０００１】
本発明は、面押しボタン及びこれを備えた音響機器、映像機器等の電子機器に関するも
のである。
【背景技術】
【０００２】
音響機器、映像機器等の電子機器は、前面に前記電子機器の操作を行うための面押しボ
タンを多数備えているものが多い。前記電子機器では、例えば該電子機器がＤＶＤ（Digi
tal Versatile Disc）プレーヤの場合、電源入／切、再生、停止、ディスク排出等の操作
を行うことができる面押しボタンを有しており、各面押しボタンを押すことで該面押しボ
タンに関連付けられた操作を行うことができる。
【０００３】
図６に従来の電子機器の一例であるＤＶＤプレーヤの正面図を示す。図６に示すＤＶＤ
プレーヤＰＭは、ＤＶＤメディアの投入口Ｉｈと、電源ボタン９１ｐと、停止ボタン９１
ａと、再生（一時停止）ボタン９１ｂと、ＤＶＤメディアを排出するためのメディア排出
ボタン９１ｃと、これらこれら各ボタンが配置される前面パネル９２とを備えている。
【０００４】
図７（Ａ）に図６に示す電子機器の押しボタン部の断面図を、図７（Ｂ）に図６に示す
電子機器の取付部の断面図を示す。図７（Ａ）、図７（Ｂ）に示すように、面押しボタン
９１は面押し部９１１を前面パネル９２に形成された貫通孔９２１を貫通するように配置
されている。面押しボタン９１は４個の面押し部９１１と、各面押し部９１１と一体に形
成されるスイッチ押圧部９１２と、面押し部９１１及びスイッチ押圧部９１２とを支持す
る支持部９１３とを有している。
【０００５】
支持部９１３は前面パネル９２の後述するボス９２２が貫通するボス孔９１４と、面押
し部９１１と連結し片持ち支持するヒンジ部９１５とを備えている。図７に示すように、
支持部９１３はヒンジ部９１５を介して４個の面押し部９１１が並んで配置されるように
支持している。両端部と隣り合う面押しボタン９１１の間には支持部９１３と一体で形成
され、面押しボタン９１が傾くのを防ぐための傾き防止部９１６が形成されている。傾き
防止部９１６の先端にもボス孔９１４が形成されている。
【０００６】
このとき、支持部９１３に形成されたボス孔９１４のボス９２２が貫通している。ボス
孔９１４を貫通したボス９２２の先端を加熱し溶融させてボス孔９１４に付着するように
固化させることで溶着されている。
【０００７】
面押しボタン９１のスイッチ押圧部９１２の側方には基板９３が配置されており、スイ
ッチ押圧部９１２の側方に、スイッチ９４が配置されている。スイッチ９４は基板９３上
に実装されており、スイッチ９４とスイッチ押圧部９１２との間はわずかな隙間が形成さ
れている。
【０００８】
面押しボタン９１は面押し部９１１を押すことで支持部９１３のヒンジ部９１５がたわ
み、スイッチ押圧部９１２の端部が沈む。スイッチ押圧部９１２の端部の沈み方向にはス
イッチ９４が配置されており、スイッチ押圧部９１２が下方に沈むことでスイッチ９４が
スイッチ押圧部９１２に押される。
【０００９】
面押しボタン９１を強い力で押すと、スイッチ押圧部９１２よりスイッチ９４に大きな
負荷がかかりスイッチ９４が壊れることがある。スイッチ９４へ過度の力がかかるのを防
ぐために、図７（Ａ）に示すように前面パネル９２は面押し部９１１のヒンジ部９１３と
反対側の端部が奥に入りすぎるのを防ぐフック部９２３が貫通孔９２１に隣接して形成さ
れている。フック部９２３は前面パネル９２と一体的に形成されている。フック部９２３
と面押し部９１１が係合することで面押し部９１１及びスイッチ押圧部９１２の回動を制
限している。
【００１０】
面押しボタン９１の面押し部９１１を押すと、面押し部９１１及びスイッチ押圧部９１
２はヒンジ部９１３を中心に一定量回動した後、面押し部９１１の端部がフック部９２３
と接触し回動が停止する。これにより、スイッチ９４に大きな負荷がかかるのを防いでい
る。
【００１１】
実開平６−９０２３号公報にはスイッチノブにストッパリブを形成し、スイッチノブが
押されたときにストッパリブが基板ホルダに当接してスイッチノブの動作を制限するもの
が示されている。
【００１２】
特開２００４−３９３２４号公報に記載の発明は、押圧部の両側にストッパ部を備えて
おり、ボタンを押すときにストッパ部が基板と接触してボタンを必要以上に押さないよう
に形成するものが示されている。
【特許文献１】実開平６−９０２３号公報
【特許文献２】特開２００４−３９３２４号公報
【発明の開示】
【発明が解決しようとする課題】
【００１３】
面押しボタン９１は支持部９１３及び支持部から延びる傾き防止部９１６の先端にボス
孔９１４が形成されており、前面パネル９２に面押しパネル９１を取り付ける場合、それ
ぞれのボス孔９１４にボス９２２が貫通する。しかしながら、前面パネル９２には、貫通
孔９２１に近接する位置に面押し部９１１と係合し面押し部９１１の動きを制限するフッ
ク部９２３が取り付けられており、面押しボタン９１を取り付けるときにも面押し部９１
１とフック部９２３が接触し、面押しボタン９１を前面パネル９２に取り付けるのが困難
である。
【００１４】
フック部９２３としてある程度柔軟にたわむものを採用することで、前面パネル９２に
面押しボタン９１を取り付けるときにフック部９２３がたわみ、面押し部９１１が貫通孔
９２１に係合しやすくすることができるが、フック部９２３が柔軟に変形しやすくなるこ
とで、面押し部９１１から付与される力を支えきれない場合もある。
【００１５】
フック部９２３を前面パネル９２と別に製造し、面押しボタン９１を前面パネル９２に
取り付けた後にフック部９２３を取り付けるようにしてもよいが、この場合、フック部９
２３の取り付けに手間がかかるとともに、面押しボタン９１１から付与される力を支えき
れない場合もある。
【００１６】
ボス９２２及びボス孔９１４の長さを短くし、ボス９２２とボス孔９１４に遊びをもう
け、面押しボタン９１を傾けながら取り付けるようにしてもよいが、この場合、ボス９２
２及びボス孔９１４の長さが短くなり面押しボタン９１の固定が不安定になりやすい。
【００１７】
そこで本発明は、前面パネルの背面に確実、容易に取り付けることができ、スイッチに
大きな負荷がかかるのを防ぐことができる面押しボタン及び面押しボタンを用いた電子機
器を提供することを目的とする。
【課題を解決するための手段】
【００１８】
上記目的を達成するために本発明は、複数の貫通孔が形成された前面パネルと、前記前
面パネルの背面に取り付けられ、回動することでスイッチを押圧する複数個の面押しボタ
ンとを有する電子機器であって、前記面押しボタンは、一部が前記前面パネルの貫通孔か
ら露出する複数の面押し部と、前記面押し部と一体に形成される複数のスイッチ押圧部と
、前記複数の面押し部を並んで支持するとともに連結する支持部と、前記複数の面押し部
と前記支持部とを連結するヒンジとを有し、前記面押し部は前記前面パネルの貫通孔を貫
通する先端部と、前記ヒンジと連結し前記先端部が取り付けられ前記前面パネルの背面に
接触する台座部と、前記台座部の前記ヒンジと連結する端部と反対側の端部より突出する
突出部を有しており、前記スイッチ押圧部は前記スイッチを押す底板と、前記底板の変形
を防ぐための補強板とを有しており、前記支持部は前記前面パネルと接触し、前記ヒンジ
を介して前記台座部を並べて支持する支持枠部と、前記前面パネルと接触し前記面押し部
を挟んで対向する位置に形成される補助支持枠部と、前記支持枠部及び前記補助支持枠部
に形成され、前記前面パネルの背面に形成されるボスと嵌合、溶着するボス孔と、前記支
持枠部と前記補助支持枠部とを連結する補強部とを有しており、前記補助支持枠部には前
記前面パネルと接触する部分が開口し、前記突出部の一部が配置されるストッパ孔と、前
記ストッパ孔の前記開口と反対側の端部に前記突出部の移動を制限するストッパ部とを有
することを特徴とする。
【００１９】
上記目的を達成するために本発明は、貫通孔が形成された前面パネルと、前記前面パネ
ルの背面に取り付けられ、スイッチを押圧する面押しボタンとを有する電子機器であって
、前記面押しボタンは、一部が前記前面パネルの貫通孔から露出する面押し部と、前記面
押し部と一体に形成されるスイッチ押圧部と、前記面押し部を支持する支持部と、前記面
押し部と前記支持部とを連結するヒンジとを有し、前記面押し部は前記ヒンジと連結する
端部と反対側の端部より突出する突出部を有しており、前記支持部は前記前面パネルと接
触し、前記ヒンジを介して前記面押し部を支持する支持枠部と、前記前面パネルと接触し
前記面押し部を挟んで対向する位置に形成される補助支持枠部と、前記支持枠部及び前記
補助支持枠部に形成され、前記前面パネルの背面に形成されるボスと嵌合、溶着するボス
孔と、前記支持枠部と前記補助支持枠部とを連結する補強部とを有しており、
前記補助支持枠部には前記前面パネルと接触する部分が開口し、前記突出部の一部が配
置されるストッパ孔と、前記ストッパ孔の前記開口と反対側の端部に前記突出部の移動を
制限するストッパ部とを有することを特徴とする。
【００２０】
この構成によると、前記突出部及び前記ストッパ孔、ストッパ部を一体に形成しており
、前記面押しボタンを前記前面パネルに取り付けるときに円滑に取り付けることができる
。
【００２１】
この構成によると、前記突出部及び前記ストッパ孔、ストッパ部を一体に形成しており
、面押しボタンの面押し部を前記前面パネルの貫通孔に迅速且つ正確に配置することがで
きる。
【００２２】
上記構成において前記面押し部は複数個備えられており、前記支持部は前記複数個の面
押し部が並ぶように支持するものとしてもよい。また、上記構成において前記スイッチ押
圧部が、前記面押し部と反対側の端部でスイッチを押圧するものとしてもよく、前記ヒン
ジ回りに回動することで前記スイッチを押圧するものとしてもよい。
【００２３】
上記目的を達成するために本発明は、複数の貫通孔が形成された前面パネルの背面に取
り付けられる面押しボタンであって、一部が前記前面パネルの貫通孔から露出する複数の
面押し部と、前記面押し部と一体に形成される複数のスイッチ押圧部と、前記複数の面押
し部を並んで支持するとともに連結する支持部と、前記複数の面押し部と前記支持部とを
連結するヒンジとを有し、前記面押し部は前記前面パネルの貫通孔を貫通する先端部と、
前記ヒンジと連結し前記先端部が取り付けられ前記前面パネルの背面に接触する台座部と
、前記台座部の前記ヒンジと連結する端部と反対側の端部より突出する突出部を有してお
り、前記スイッチ押圧部は前記スイッチを押す底板と、前記底板の変形を防ぐための補強
板とを有しており、前記支持部は前記前面パネルと接触し、前記ヒンジを介して前記台座
部を並べて支持する支持枠部と、前記前面パネルと接触し前記面押し部を挟んで対向する
位置に形成される補助支持枠部と、前記支持枠部及び前記補助支持枠部に形成され、前記
前面パネルの背面に形成されるボスと嵌合、溶着するボス孔と、前記支持枠部と前記補助
支持枠部とを連結する補強部とを有しており、前記補助支持枠部には前記前面パネルと接
触する部分が開口し、前記突出部の一部が配置されるストッパ孔と、前記ストッパ孔の前
記開口と反対側の端部に前記突出部の移動を制限するストッパ部とを有することを特徴と
する。
【００２４】
上記目的を達成するために本発明は、貫通孔が形成された前面パネルの背面に取り付け
られる面押しボタンであって、一部が前記前面パネルの貫通孔から露出する面押し部と、
前記面押し部と一体に形成されるスイッチ押圧部と、前記面押し部を支持する支持部と、
前記面押し部と前記支持部とを連結するヒンジとを有し、前記面押し部は前記ヒンジと連
結する端部と反対側の端部より突出する突出部を有しており、前記支持部は前記前面パネ
ルと接触し、前記ヒンジを介して前記面押し部を支持する支持枠部と、前記前面パネルと
接触し前記面押し部を挟んで対向する位置に形成される補助支持枠部と、前記支持枠部及
び前記補助支持枠部に形成され、前記前面パネルの背面に形成されるボスと嵌合、溶着す
るボス孔と、前記支持枠部と前記補助支持枠部とを連結する補強部とを有しており、前記
補助支持枠部には前記前面パネルと接触する部分が開口し、前記突出部の一部が配置され
るストッパ孔と、前記ストッパ孔の前記開口と反対側の端部に前記突出部の移動を制限す
るストッパ部とを有することを特徴とする。
【００２５】
この構成によると、前記突出部及び前記ストッパ孔、ストッパ部を一体に形成しており
、前記面押しボタンを前記前面パネルに取り付けるときに円滑に取り付けることができる
。
【００２６】
この構成によると、前記突出部及び前記ストッパ孔、ストッパ部を一体に形成しており
、面押しボタンの面押し部を前記前面パネルの貫通孔に迅速且つ正確に配置することがで
きる。
【００２７】
上記構成において前記面押し部が複数個備えられており、前記支持部が前記複数個の面
押し部が並ぶように支持するものとしてもよい。
【００２８】
上記構成において前記スイッチ押圧部が、前記面押し部と反対側の端部でスイッチを押
圧するもの、前記ヒンジ回りに回動することで前記スイッチを押圧するものとしてもよい
。
【発明の効果】
【００２９】
本発明によると、複雑な構造で形成したり、部材を追加したりすることなく、前面パネ
ルの背面に確実、容易に取り付けることができ、スイッチに大きな負荷がかかるのを防ぐ
ことができる面押しボタン及び面押しボタンを用いた電子機器を提供することができる。
【００３０】
また本発明によると、部材を追加することなく、位置決め精度を上げることができ、そ
れだけ、取り付け作業の手間を省き、短時間に製造することができ、製造コストを低減す
ることができる面押しボタン及び面押しボタンを用いた電子機器を提供する。
【００３１】
さらに本発明によると、面押しボタンからスイッチに大きな負荷がかかるのを防ぐこと
ができるので、繰り返し前記面押しボタンを押圧しても、スイッチの故障や破損等の不具
合が発生するのを低減することができ、それだけ、面押しボタン及び電子機器を長寿命化
することが可能である。
【発明を実施するための最良の形態】
【００３２】
以下に本発明の実施形態を図面を参照して説明する。図１に本発明にかかる電子機器の
一例の正面図を示す。図１に示す電子機器はそれには限定されないが、ここではＤＶＤプ
レーヤである。図１に示すＤＶＤプレーヤＰＬは、ＤＶＤメディアの投入口Ｉｈと、電源
ボタン１（１ｐ）と、停止ボタン１（１ａ）と、再生（一時停止）ボタン１（１ｂ）と、
ＤＶＤメディアを排出するためのメディア排出ボタン１（１ｃ）と、前面パネル２とを備
えている。
【００３３】
電源ボタン１ｐ、停止ボタン１ａ、再生ボタン１ｂ及びメディア排出ボタン１ｃは、各
ボタンを押すことでボタンに関連付けられている動作を行うものである。前面パネル２は
貫通孔２１が形成されており、貫通孔２１を各ボタン１ｐ、１ａ、１ｂ、１ｃが貫通して
いる。
【００３４】
図２に本発明にかかる面押しボタンの正面図を、図３に図２に示す面押しボタンの側面
図を示す。面押しボタン１は電源ボタン１ｐ、停止ボタン１ａ、再生ボタン１ｂ及びメデ
ィア排出ボタン１ｃを有している。各ボタンはそれぞれ同じ構成を有しており、前面パネ
ル２の貫通孔２１を貫通する面押し部１１と、面押し部１１と一体的に連結するスイッチ
押圧部１２とを備えている。それには限定されないが、ここでは、面押しボタン１は樹脂
の一体成形にて製造されるものである。
【００３５】
面押しボタン１は支持部１３を備えており、支持部１３と面押し部１１がヒンジ１４を
介して連結している。図２に示すように、面押し部１１は前面パネル２の貫通孔２１を貫
通する先端部１１１と、面押しボタン１１が貫通孔２１より出すぎるのを防ぎヒンジ１４
と連結する台座部１１２と、台座部１１２のヒンジ１４と連結しているのとは反対側に連
結する突出部１１３とを有している。
【００３６】
支持部１３は隣り合う面押し部１１及びスイッチ押圧部１２を一定方向に並んで支持す
る支持枠部１３１と、支持枠部１３１の面押し部１１に対して反対側に形成される補助支
持枠部１３２と、前面パネル２の背面２０に形成された後述のボス２２に外嵌するボス孔
１３３と、支持枠部１３１と補助支持枠部１３２とを繋ぐ補強部１３４とを備えている。
【００３７】
補助支持枠部１３２には面押し部１１の突出部１１３の一部が挿入されるストッパ孔部
１３５を有している。ストッパ孔１３５は面押しボタン１の前面カバー２が取り付けられ
る方向に開放されており、開放されているのと反対側はストッパ部１３６が形成されてい
る。
【００３８】
ボス孔１３３はそれには限定されないが、支持枠部１３１及び補助支持枠部１３２に５
個ずつ合計１０個形成されている。支持枠部１３１のボス孔１３３は両端部と各ヒンジ１
４の間に形成されている。補助支持枠部１３２のボス孔１３３は両端部と各ストッパ孔１
３５の間に形成されている。
【００３９】
補強部１３４は上述のとおり支持枠部１３１と補助支持枠部１３２とを連結するもので
あり、両端部と電源ボタン１ｐと停止ボタン１ａの間、再生ボタン１ｂとメディア排出ボ
タン１ｃの間にそれぞれ形成されている。また、これに限定されるものではなく、面押し
ボタンが一定の強度になるように配置するものを広く採用することができる。また、図２
に示すようにヒンジ１４の中央部には貫通孔１４０が形成されている。
【００４０】
図４（Ａ）に面押しボタンを備えた電子機器の図２に示すＸ−Ｘ線で切断したときの断
面図を、図４（Ｂ）に図２に示すＹ−Ｙ線で切断したときの断面図を示す。図４（Ａ）に
示すように面押し部１１の台座部１１２は前面パネル２の背面２０と接触して配置されて
いる。台座部１１２が前面パネル２の背面２０と接触することで面押し部１１の先端部１
１１が前面パネル２より飛び出し過ぎないように制限している。また、補助支持部１３２
のストッパ孔１３５は前面が開放された形状を有しており、突出部１１３も同様に前面パ
ネル２の背面２０と接触して配置されている。
【００４１】
図４（Ａ）、図４（Ｂ）に示すように面押し部１１の背面１１０にはスイッチ押圧部１
２が連結している。スイッチ押圧部１２はＤＶＤプレーヤの内部に延びる形状を有してお
り、面押し部１１と連結し、スイッチ４を押圧する底板１２１と、底板１２１の中央に一
体的に取り付けられ、面押し部１１と連結する補強板１２２とを有している。また、スイ
ッチ押圧部１２の側方には基板３上に実装されたスイッチ４が配置されている。スイッチ
４とスイッチ押圧部１２との間はわずかな隙間が形成されている。
【００４２】
台座１１２はヒンジ１４を介して支持部１３に片持ち支持される。ヒンジ１４は図４（
Ａ）に示すように面押しボタン１の他の部分に比べて厚みが薄く形成されている。また、
上述したようにヒンジ１４の中央部には貫通孔１４０が形成されており。ヒンジ自体の厚
み及び貫通孔１４０の大きさを調整することでヒンジ１４の剛性（たわみやすさ）を調節
している。
【００４３】
図４（Ｂ）に示すように前面パネル２は背面２０に支持部１３のボス孔１３３を貫通す
るボス２２が形成されている。ボス２２は支持部１３のボス孔１３３を貫通するとともに
ボス孔１３３より突出した部分を溶融し、ボス孔１３３と溶着される。ボス２２とボス孔
１３３とが溶着することで押しボタン１を前面パネル２の背面に固定することが可能であ
る。
【００４４】
前面パネル２の外側から面押しボタン１の面押し部１１の先端部１１１を押すことでヒ
ンジ１４がたわみ、ヒンジ１４を中心に面押し部１１及びスイッチ押圧部１２が回動する
。面押し部１１及びスイッチ押圧部１２が回動することで、スイッチ押圧部１２の底板１
２１がスイッチ４を押す。このとき、面押し部１１が一定以上回動すると面押し部１１に
形成された、支持部１３のストッパ孔１３５に挿入された突出部１１３がストッパ部１３
６と接触し回動が停止する。
【００４５】
このように、面押しボタン１の面押し部１１の回動角度が一定になったときに、突出部
１１３がストッパ部１３６に接触するので、スイッチ押圧部１２の底板１２１がスイッチ
４を押すときに、スイッチ４に大きな力が付与するのを防ぐことができるため、スイッチ
４の故障、破損等の不具合の発生を抑制し、それだけ、長期間にわたって面押しボタン１
を使用することが可能である。また、面押し部１１の回動角度が一定角度で停止するので
、ヒンジ１４のたわみ量が大きくなりすぎるのを防ぐことができ、ヒンジ１４の疲労破壊
が発生するのを抑制することが可能である。
【００４６】
前面パネル２の背面２０に面押しボタン１を取り付けるときに、前面パネル２の貫通孔
２１に面押し部１１の先端部１１１が挿入されるように、且つ、前面パネル２の背面２０
に形成されたボス２２と面押しボタン１の支持部１３に形成されたボス孔１３３とが嵌合
するように挿入するだけで取り付けることができる。このことによって、面押しボタン１
及び前面パネル２の各部材に取り付けのための無理な力が付与するのを抑え、面押しボタ
ン１及び前面パネル２が破損することなく、十分な能力を発揮するように取付を行うこと
ができる。
【００４７】
このことにより、面押しボタン１を前面パネル２の背面２０に簡単容易に取り付けるこ
とができ、それだけ、製造の手間と時間を削減することができる。また、面押しボタン１
を組付けるときに障害となるものがないので、位置決めのために着脱を繰り返すときの、
面押しボタン１及び前面パネル２の各部に無理な力が付与し疲労することで起こる変形や
破壊が発生するのを抑制することができる。
【００４８】
図５に本発明にかかる面押しボタンの他の例の断面図を示す。図５に示す面押しボタン
１ｇはスイッチ押圧部１２ｇが異なる以外、図２等に示す面押しボタン１と同一の形状を
有しており、実質上同一の部分には同一の符号が付してある。
【００４９】
図５に示す面押しボタン１ｇのスイッチ押圧部１２ｇは面押し部１１の背面から伸びる
形状を有している。スイッチ押圧部１２ｇは面押し部１１と連結していない端部１２１ｇ
でスイッチ４を押圧できるように形成されている。図５に示すように面押しボタン１ｂと
基板３が対面して配置される電子機器の場合、スイッチ押圧部１２ｇの面押し部１１と連
結していない端部１２１ｇで押圧するものを採用することで、電子機器の厚みを小さくす
ることが可能である。
【００５０】
また、本発明にかかる面押しボタン１として電源投入ボタン１ｐ、停止ボタン１ａ、再
生ボタン１ｂ、メディア排出ボタン１ｃを例に４個連結されている面押しボタンを例に説
明しているがそれに限定されるものではなく、４個よりも少なくても多くても良い。
【００５１】
上記実施例において、電子機器としてＤＶＤメディアの再生を行うＤＶＤプレーヤを採
用しているが、それに限定されるものではなく、面押しボタンを用いて操作を行う電子機
器（例えば、ＶＴＲ、ＣＤ、ＴＶ受像機等）を広く採用することができる。
【産業上の利用可能性】
【００５２】
本発明の面押しボタンは、ＶＴＲ、ＤＶＤ、ＣＤ、ＬＤ等の面押しボタンを用いて操作
を行うことができる電子機器において適用することができる。
【図面の簡単な説明】
【００５３】
【図１】本発明にかかる電子機器の一例の正面図である。
【図２】本発明にかかる面押しボタンの正面図である。
【図３】図２に示す面押しボタンの側面図である。
【図４】図（Ａ）は面押しボタンを備えた電子機器の図２に示すＸ−Ｘ線で切断したときの断面図であり、図（Ｂ）は面押しボタンを備えた電子機器の図２に示すＹ−Ｙ線で切断したときの断面図である。
【図５】本発明にかかる面押しボタンの他の例の断面図である。
【図６】従来の電子機器の一例の正面図である。
【図７】図（Ａ）は図６に示す電子機器の面押しボタン部の断面図であり、図（Ｂ）に図６に示す電子機器の取付部の断面図である。
【符号の説明】
【００５４】
１  面押しボタン
１１  面押し部
１１０  背面
１１１  先端部
１１２  台座部
１１３  突出部
１２  スイッチ押圧部
１２１  底板
１２２  補強板
１３  支持部
１３１  支持枠部
１３２  補助支持枠部
１３３  ボス孔
１３４  補強部
１３５  ストッパ孔
１３６  ストッパ部
２  前面パネル
２０  背面
２１  貫通孔
２２  ボス
【図１】
2006221845.tif 000003
【図２】
2006221845.tif 000004
【図３】
2006221845.tif 000005
【図４】
2006221845.tif 000006
【図５】
2006221845.tif 000007
【図６】
2006221845.tif 000008
【図７】
2006221845.tif 000009